(57)【要約】【課題】充電手段と、二次電池によって機能する機能手段からなる充電式電気・電子装置において、装置全体の構成が簡素で製造が簡便あって、前記二次電池の劣化を回避させることを目的とする。【解決手段】充電手段であるチャージャ２に、充電用電力を供給する電力供給回路９及びこれを制御するための制御信号抽出回路１２とＣＰＵ１３を、機能手段であるマイクロフォン装置３に、二次電池１８及びこれの電圧情報を記憶するＲＡＭ２３、ＣＰＵ２２及び充電抵抗スイッチ回路１７をそれぞれ備え、電力供給回路９によって供給される充電用電流に、充電抵抗スイッチ回路１７を駆動することによってＲＡＭ２３に記憶された二次電池１８の電圧情報を重畳し、この電圧情報を制御信号抽出回路１２で抽出し更にＣＰＵ１３に伝える構成を取ることで、情報の伝達に関わる制御の系の構成を簡素にした。【選択図】図２
2013009574.tif 000002
【特許請求の範囲】
【請求項１】
二次電池が備えられ、その二次電池からの電力によって機能を出力する機能手段と、その機能手段の二次電池に充電用電力を供給する充電手段が備えられ、
更に、それら充電手段が機能手段に充電用電力の供給を行うように接続可能な構成であり、上記機能手段の二次電池のその時点での電池残量を検出し、その検出した電池残量に対応して上記充電手段が充電用電力の供給を行うように制御がなされ、
加えて、その制御のための信号を上記充電手段からの充電用電力に重畳されることを特徴とする充電式電気・電子装置。
【請求項２】
上記二次電池の残量は、その二次電池に接続する電圧検出回路によって検出された電圧に基づいて評価し、その評価結果を、上記機能手段の充電用電力の入力端と上記二次電池の間に介在され、入力の充電用電力に対する入力インピーダンスを変化させることによってその充電用電力の電流に制御信号を重畳させ得る充電抵抗スイッチ回路を介して充電手段の側に送るように構成されることを特徴とする請求項１に記載の充電式電気・電子装置。
【請求項３】
上記充電手段と上記機能手段が別体に構成され、前記充電手段が前記機能手段に対して充電用電力を出力する際に、それら充電手段と機能手段が充電を行う上で互いに適切に対応しているか否かを判断するための識別信号がそれら充電手段と機能手段のうちの一方から他方に出力されるように構成される充電式電気・電子装置ことを特徴とする請求項１又２に記載の充電式電気・電子装置。
【発明の詳細な説明】
【技術分野】
【０００１】  この発明は、例えば充電式カラオケ用マイクロフォン装置、ハンディ電動クリーナーのように、二次電池が備えられその二次電池からの電力によって機能を行う機能手段とこの機能手段の二次電池に充電用の電力を供給する充電手段が備えられてなる充電式電気・電子装置に関する。【０００２】  更には、前記充電手段と前記機能手段が互いに電気的に接続と接続解除の状態を取り、且つ、電気接続の状態を取った際には充電が可能状態になり接続解除された際には充電可能状態が解除となる充電式電気・電子装置に関する。
より詳しくは、斯かる構成の充電式電気・電子装置に於いて、二次電池の電池残量を検出してその検出結果に対応して適切に充電を行うように制御し、このことによって二次電池への不適切な充電による二次電池の劣化及び過充電による無駄電力の消費等を回避し、加えて、斯かる二次電池への充電の制御の構成簡素化することの改良に関する。
【背景技術】
【０００３】  充電式電気・電子装置では、二次電池に過度の電流で必要以上の時間の電力供給を行って過充電となったり、電池残量に適さない充電が行われると、その二次電池に損傷や過熱が発生して劣化が生じることになる。
斯かる二次電池の劣化を防ぐ技術として、以下の公開特許公報で開示されたものが知られている。
【先行技術文献】
【特許文献】
【特許文献１】  特開平６−１２１４６６号公報
【発明の概要】
【発明が解決しようとする課題】  充電することによって繰り返しの使用が可能な二次電池は、充電の際にその時の電池残量に対応して電流の値や充電の時間を適切な値に設定して充電を行わないと、二次電池は充電を行う度に劣化が生じることになる。
斯かる劣化の問題を回避するためには、当該二次電池の電池残量を測定する手段及びその測定の値に対応して充電の電流の値と充電を行う時間を制御する手段が備えられていればよい。【０００４】  さて、例えば、コードレスの充電式カラオケ用マイクロフォン装置、携帯電話、ハンディ電動クリーナーのように、二次電池からの電力によって機能を出力する機能手段とこの機能手段の二次電池に充電用の電力を供給する充電手段が備えられ、この充電手段に前記機能手段が一体化・別体化が可能であって、且つ、一体化された際には充電が可能な状態になり別体化された際には充電可能状態が解除となる充電式電気・電子装置に於いては、二次電池が備えられた機能手段の側に前記二次電池の電池残量を測定する手段を、充電手段の側に充電の電流の値と充電を行う時間を制御する手段をそれぞれ備えさせ、且つ、それら制御する手段と測定する手段を接続するという方法が採られることになる。
斯かる構成の充電式電気・電子装置として、特開平６−１２１４６６号公報で開示されている技術が知られている。【０００５】  然るに、特開平６−１２１４６６号公報で開示されている技術では、機能手段の側及び充電手段の側にそれぞれ通信制御部が備えられていて、この通信制御部を機能することによって測定した電池残量に基づき充電を行うが、その分構成が複雑であって部品点数が多くなり製造が繁雑になり、結果的にコスト高になるといういう問題がある。
又、機能手段の側に通信制御部を備えた構成では、その分重量が増加して、機能手段を手に持って使用する装置では使用者の重量負担になるという問題も生じる。【０００６】  尚、特開平６−１２１４６６号公報で開示されている技術では、充電を行う手段と機能を行う手段は別体の構成になっているが、例え充電を行う手段と機能を行う手段が一体化された構成であっても制御を行うための通信の系を別個に設ける必要があり、その分だけ全体構成が繁雑になることに変わりはない。
又、充電手段と機能手段を別体とした構成では通常、充電手段の出力を制御するための通信の系として、一体化した際に充電手段に設けた電極端子と機能手段に設けた電極端子が接続して制御のための信号が送られる構成が広く知られている（例えば、トランスミッタ、携帯電話）。斯かる構成でも、電機接続して信号を送るための電極端子を充電手段の側及び機能手段の側にそれぞれ設ける必要があり、部品点数が多くなり製造が繁雑になるという問題は同様に生じる。【０００７】  殊に、充電式電気・電子装置がワイヤレスの充電式カラオケ用マイクロフォン装置である場合には、光量の比較的少ない環境下で使用することが多く、充電用の電極端子と制御信号用の電極端子が間違いなく接続するように、機能手段と充電手段が容易に電気接続の位置を取るようにするには、充電手段及び機能手段のそれぞれの充電用の電極端子と制御信号用の電極端子の配設の位置や形状に大きな制約を受けるという問題が生じることになる。
尚、充電手段と機能手段にそれぞれ配設する電極端子の数が少なければ少ないほど構成上及び製造上好ましいが、原理的には充電用の電極端子は絶対必要であることから最低二組の電極端子が必要となる。【０００８】  又、機能手段は充電手段からの電力を受けとってその充電用電力を二次電池に供給する際に、機能手段において適切な電流で且つ適切な充電時間だけ電力を供給するように制御することも考えられる。
しかし、斯かる構成では機能手段の構成が大掛かりとなり、特に機能手段が充電手段に対して分離別体化して使用する装置では、機能手段が大型化して重量も嵩み、ハンディタイプの装置では実用性に欠けるということになる。【０００９】  上述した事情から、構成の簡素化、製造の簡便化などを求めると、結果的に、二次電池への過充電や電池残量に適さない充電を行うことになり、二次電池の劣化という問題は避けられず必然的に生じることになる。
そこで、上述して来た二次電池の劣化の問題を回避するために、例えば、１時間当たり電池容量のほぼ１／１０倍程度の電流といった比較的に少ない電流による充電（以下、「ノーマル充電」という）を長時間行うという方法が知られている。【００１０】  しかし、充電対象の二次電池の電池残量が判らない場合には、充電により一層多くの時間を要すると共に、ノーマル充電であっても過剰な長時間充電を行う場合には電池劣化の虞が常に付きまとうことになる。
他方、例えば時間当たり電池容量とほぼ同程度という比較的多い電流で二次電池を充電する方法（以下、「急速充電」という）も知られている。【００１１】  この急速充電は通常、充電出力の電極端子の電圧変化（以下、「Δｖ」という）の監視を行い、Δｖの変化から満充電の状態を推測して充電時間を決定し、充電を行う構成になっている。
しかし、斯かる構成の急速充電で充電を行う場合、二次電池の正確な電池残量、その時点の状態が満充電であるか否か等を知ることは難しく、結果的に、二次電池の劣化の問題は避けられない。【００１２】  又、充電を急速充電で行う場合には、Δｖを監視し続ける必要があり、このΔｖを監視し続ける手段が必要となって装置が複雑な構成になるという問題が生じる。
この発明は、上記の事情に鑑みてなされたものであって、二次電池によって機能を行う機能手段とその二次電池に充電用の電力を供給する充電手段を備えて構成され、構成が簡素であってその分製造が簡便でありこのことからコストを低く抑えることが可能であって、機能手段の重量の軽減化が得られ、二次電池の正確な電池残量が簡便に得られて充電時間が短くて済むことを確保しつつ二次電池の劣化を回避し得る充電式電気・電子装置を提供するものである。
【課題を解決するための手段】
【００１３】  この発明は、充電用の電力に、充電用の電力を制御するための制御信号を重畳させた充電式電気・電子装置である。
その詳細な構成は、二次電池が備えられ、その二次電池からの電力によって機能を出力する機能手段と、その機能手段の二次電池に充電用電力を供給する充電手段が備えられ、
更に、それら充電手段が機能手段に充電用電力の供給を行うように接続可能な構成であり、上記機能手段の二次電池のその時点での電池残量を検出し、その検出した電池残量に対応して上記充電手段が充電用電力の供給を行うように制御がなされ、
加えて、その制御のための信号を上記充電手段からの充電用電力に重畳されることを特徴とする充電式電気・電子装置である。【００１４】  斯かる構成により、制御信号は充電用の電力に重畳されるので、制御信号を送るための系を別個に設ける必要がなく、その分全体構成の簡素化が得られながら、充電用電力の出力の制御が可能であって二次電池の劣化を回避することができる。
又、本発明の充電式電気・電子装置において、上記二次電池の残量に係る情報の送付は具体的に、その二次電池に接続する電圧検出回路によって検出された電圧に基づいて評価し、その評価結果を、上記機能手段の充電用電力の入力端と上記二次電池の間に介在され、入力の充電用電力に対する入力インピーダンスを変化させることによってその充電用電力の電流に制御信号を重畳させ得る充電抵抗スイッチ回路を介して充電手段の側に送る構成が挙げられる。【００１５】  加えて、本発明の充電式電気・電子装置では、上記充電手段と上記機能手段が別体に構成され、前記充電手段が前記機能手段に対して充電用電力を出力する際に、それら充電手段と機能手段が充電を行う上で互いに適切に対応しているか否かを判断する手段として、それら充電手段と機能手段のうちの一方から他方に識別信号を出力する構成が挙げられる。
又、本発明の充電式電気・電子装置は、充電手段と機能手段が一体となった構成に加えて、充電手段と機能手段が使用時には別体化し、充電時には一体化となる構成が挙げられる。【００１６】  更に、機能手段の内容を基準にすると、本発明の充電式電気・電子装置は具体的に、音声を入力して電気信号に変換してワイヤレスである充電式カラオケ用アンプに送る充電式カラオケ用マイクロフォン装置、トランスミッタ、コードレスの携帯用クリーナ、充電式ライト、トランシーバ等が挙げられる。
他方、二次電池の充電に係る制御とは具体的に、二次電池への過充電によって生じる劣化の回避を目的として、二次電池の電圧から電池残量を求めること、急速充電とノーマル充電を選択的に切り換えること、二次電池に充電を行っている際に電圧ピークが得られると満充電と見なして充電を停止すること等が挙げられる。
【発明の効果】
【００１７】  この発明は、充電手段から機能手段の二次電池への充電用電力の供給のための系に、前記二次電池への充電を制御するための制御信号を重畳させたことによって、二次電池の充電を制御するためのシステムを簡素化したことから、構成が簡素であって部品点数が少なく、よって、製造が簡便化することからコストを低く抑えることが可能であり、更に装置全体の軽量化が得られ、二次電池への充電の制御が適切に行われることから二次電池の劣化の問題が回避され得る充電式電気・付電子装置である。
又、充電手段と機能手段が別体の構成である場合、充電手段からの電力の電流と電圧が機能手段の二次電池に互いに適切に対応していて充電を行っても支障がないことを判別するための識別信号を充電手段と機能手段の間で発信・受信する機能を付加することで、機能手段は充電に適切な充電手段からの充電用電力の供給を受けることになり、二次電池の破損や劣化を回避することが可能である。
【図面の簡単な説明】
【００１８】
【図１】  この発明を実施するための最良の形態において、一部切り欠きを含み、全体の外観上の構成を説明する斜視図である。
【図２】  図１に示す実施するための最良の形態において、機能手段を充電手段に接続させた際の電気的な構成を説明するブロック図である。
【図３】  図１に示す実施するための最良の形態において充電手段が機能手段に充電を行うプロセスで、スタートから急速充電のための制御信号を電力供給回路に送るまでを説明するフローチャート図である。
【図４】  図１に示す実施するための最良の形態において充電手段が機能手段に充電を行うプロセスで、二次電池が急速充電されることからエンドまでを説明するフローチャート図である。
【発明を実施するための形態】
【００１９】  以下、この発明を、図面に基づいて実施する最良の形態によって説明する。しかし、この形態によってこの発明が限定されるものではない。
又、この発明の充電式電気・電子装置を充電式カラオケ用マイクロフォン装置１として説明する。充電式カラオケ用マイクロフォン装置１は図１及び図２に示すように、充電手段であるチャージャ２と機能手段であるマイクロフォン装置３から構成されている。
【００２０】  尚、充電式カラオケ用マイクロフォン装置１は図１に示すように、マイクロフォン装置３がチャージャ２に対して着脱可能となる、つまり電気接続が可能であって別体に構成されている。
チャージャ２は、電力会社から家庭に供給されている商用電力の供給を受け、充電用の電力をマイクロフォン装置３に供給するものである。
【００２１】  チャージャ２は、外観がほぼ箱形状であって、天面からほぼ垂直下方に伸びる二つの凹部４が形成されている。
チャージャ２の凹部４は、下方に載頭円錐形状に凹んだ形状であって、上部から下方に進むに従って徐々に径が短くなっている。
【００２２】  凹部４の底部はほぼ円形平面５に形成され、円形平面５の中央とこの中央から一定距離だけ離隔した位置にそれぞれスプリング（図示省略）の付勢力によって上方に突出されたチャージャ側端子６，７が配設されている。
チャージャ２は図２に示すように、プラグ８と、電力供給回路９と、制御信号出力回路１０と、チャージャ側端子６，７と、端子電圧監視回路１１と、制御信号抽出回路１２と、ＣＰＵ１３が備えられている。
【００２３】  尚、図２において、幅の広い矢印は充電用電力の流れを、実線のみからなる矢印は制御信号の流れをそれぞれ表している。
プラグ８は、家庭の商用電力用の差し込み（図示省略）に接続して電力会社からの商用電力の供給を受けるためのものである。
【００２４】  電力供給回路９は、変圧器及び整流器（共に、図示省略）を備えて構成され、商用電力を受けて充電用の直流の電力（ノーマル充電用電力及び急速充電用電力）に変換し、ＣＰＵ１３からの制御に基づいてマイクロフォン装置３の側にノーマル充電用電力と急速充電用電力を選択的に供給するものである。
制御信号出力回路１０は、電力供給回路９からの充電用の直流の電力にＣＰＵ１３からの制御信号を重畳し、チャージャ側端子６，７を介してマイクロフォン装置３の側に出力するものである。
【００２５】  端子電圧監視回路１１は、チャージャ側端子６，７とＣＰＵ１３の間に介在され、チャージャ２にマイクロフォン装置３が接続された際に、つまり、マイクロフォン装置３がチャージャ２の凹部４に差し込まれて充電可能な状態になった際に、その状態の確認及び後述する二次電池１８の異常を検出するものである。
ＣＰＵ１３は、端子電圧監視回路１１及び制御信号抽出回路１２の後段に接続され、マイクロフォン装置３の二次電池１８の電池残量を内蔵のメモリデータと照合して、電力供給回路９に充電用電力の出力を制御する信号を送るものである。
【００２６】  チャージャ側端子６，７は、マイクロフォン装置３をチャージャ２の凹部４に差し込んだ際に、マイク側端子１５，１４にそれぞれ対応して接続の状態を取るものであり、電力供給回路９からの充電用の電力にＣＰＵ１３からの制御信号を重畳したものをマイクロフォン装置３の側に出力するためのものである。
マイクロフォン装置３は、マイク側端子１４、１５と、逆電圧防止回路１６と、充電抵抗スイッチ回路１７と、二次電池１８と、マイクロフォン１９と、電圧検出回路２０と、制御信号抽出回路２１と、ＣＰＵ２２及びＲＡＭ２３を備えて構成されている。
【００２７】  マイクロフォン装置３は、チャージャ２の側から充電用電力の供給を受けて二次電池１８が電力を確保し、この二次電池１８によってマイクロフォン１９が入力されて来る音声を電気信号に変換し、その電気信号をワイヤレスでカラオケ用アンプ（図示省略）に送るものである。
マイクロフォン装置３には、その底面に円板形状のマイク側端子１５とこのマイク側端子１５とほぼ同心でドーナツ形状のマイク側端子１４が配設されている。
【００２８】  マイクロフォン装置３の頭部には、金属ネット（図示省略）で覆われて保護されたマイクロフォン１９が配設されている。
逆電圧防止回路１６は、極性が異なる電力が接続された際には、その電力の入力を停止して装置が破壊されるのを回避させるためのものである。
【００２９】  充電抵抗スイッチ回路１７は、入力される直流の充電用電力に対する入力インピーダンスを変化させ、その充電用電力の電流にＣＰＵ２２からの制御信号を重畳させ、結果的には、ＣＰＵ２２の制御信号をチャージャ２の側に送るためのものである。充電抵抗スイッチ回路７は更に、供給される充電用電力が適切に対応するチャージャからのものか否かを認識する機能を持つが、その詳細は後述する。
二次電池１８は、チャージャ２の側から充電用電力の供給を受けて電力を蓄え、マイクロフォン１９が機能することに必要な電力を供給するものである。
【００３０】  マイクロフォン１９は、二次電池１８から電力の供給を受けて、入力される音声を電気信号に変換し、その電気信号をワイヤレスでカラオケ用アンプ（図示省略）に送るように機能するものである。
電圧検出回路２０は、二次電池１８の後段に接続され、二次電池１８の電圧若しくは電流に基づいて電池残量を検出するためのものである。
【００３１】  制御信号抽出回路２１は、マイク側端子１４，１５の後段に接続され、充電用電力に重畳されているＣＰＵ１３からの制御信号を抽出してＣＰＵ２２に送るものである。
ＣＰＵ２２は、電圧検出回路２０によって検出されその後にＲＡＭ２３に記憶されている二次電池１８の電圧値に基づいて二次電池１８の電池残量を評価し、その評価結果を充電抵抗スイッチ回路１７に出力するものである。
【００３２】  又、ＲＡＭ２３にはマイクロフォン装置３がＯＦＦされる直前の二次電池１８の電圧が記憶され、充電を行う際にはＲＡＭ２３に記憶された前記電池電圧のデータがチャージデータとしてＣＰＵ２２に送られるように構成されている。
ここで、マイクロフォン装置３がＯＦＦされるとは、ユーザーがマイクロフォン装置３の使用を終えた際にマイクロフォン装置３に付設され二次電池１９の電力をＯＮ／ＯＦＦするスイッチをＯＦＦすることを意味する。
【００３３】  充電式カラオケ用マイクロフォン装置１は、全体及び各部は上述したように構成されている。
以下に於いて、図３及び図４に示すフローチャートと共に充電式カラオケ用マイクロフォン装置１の充電についての機能を説明する。
【００３４】  まず始めに、充電式カラオケ用マイクロフォン装置１は、製造工場から出荷される際に二次電池１８は予め充電が為されていて、購入の初期の状態では充電を行わなくても使用することが可能になっている。
従って、ユーザーが二次電池１８に予め充電された電力によって充電式カラオケ用マイクロフォン装置１を機能させて使用した後、チャージャ２にマイクロフォン装置３を一体化して充電を行う時点をスタートとして説明する。
【００３５】  ユーザーが充電式カラオケ用マイクロフォン装置１の使用を終了するとマイクロフォン装置３の上記電源スイッチ（図示省略するが、円筒状の握り部に付設）をＯＦＦするが、その時点での二次電池１８の電圧は電圧検出回路２０によって検出され、その検出値（電池残量）がＲＡＭ２３に記憶される（ステップ：Ｓ１）。
この時、ユーザーはマイクロフォン装置３の上記スイッチをＯＦＦの状態にしてマイクロフォン装置３をチャージャ２の凹部４に挿入するが、ＲＡＭ２３には二次電池１８の電池残量が記憶されている。
【００３６】  次に、充電式カラオケ用マイクロフォン装置１の二回目以降の使用では、マイクロフォン装置３をチャージャ２で充電可能とさせる際には、チャージャ２の凹部４にマイクロフォン装置３を挿入してゆっくりと落とし込む。
ここで、マイクロフォン装置３の下方部は先端になるほど径が小さく、且つ、チャージャ２の凹部４も底部の円形平面５に近づくほど程径が小さくなるので、結果的に、マイクロフォン装置３はチャージ２の凹部４にガイドされて円形平面５に載置固定の状態を取ることになる。
【００３７】  つまり、充電式カラオケ用マイクロフォン装置１を多少暗がりで光量が不十分な環境下で使用したり、ユーザーがマイクロフォン装置３を正確に位置決めしてチャージャ２の凹部４に挿入しない場合であっても、マイクロフォン装置２の形状と凹部４の形状によってマイクロフォン装置３はガイドされて所定の位置を取るようになっている。
又、マイクロフォン装置３がチャージャ２の凹部４に挿入されて円形平面５に載置固定の状態を取ると、マイクロフォン装置３の側の端子１４，１５はチャージャ２の側の端子７，６にそれぞれ接触して電気接続の状態になっている。
【００３８】  マイクロフォン装置３の側の端子１４，１５とチャージャ２の側の端子７，６がそれぞれ電気接続の状態となると、チャージャ２からマイクロフォン装置３に充電用電力が出力されるのでチャージャ２の充電手段側端子６，７の電圧が下がる。
端子電圧監視回路１１は、チャージャ２の充電手段側端子６，７の電圧の下がったことを監視認識してその旨をＣＰＵ１３に送る。
【００３９】  ＣＰＵ１３は、端子電圧監視回路１１からの信号を受けてチャージャ２にマイクロフォン装置３が接続されたことを検出し（ステップ：Ｓ２）、続いて、電力供給回路９にノーマル充電を開始するように制御信号を送る。
ここで、電力供給回路９は、商用電力から電圧変換し更に整流したノーマル充電用の所定の電圧と電流の電力を制御信号出力回路１０に出力する。
【００４０】  斯かる充電用電力は、制御信号出力回路１０及び充電手段側端子６，７を介してマイクロフォン装置３の側に出力され、マイクロフォン装置３の側で機能手段側端子１４，１５、逆電圧防止回路１６及び充電抵抗スイッチ回路１７を介して二次電池１８に供給されることになる。
この時、制御信号出力回路１０は、ＣＰＵ１３から充電器として適切に対応するチャージャ２側を示す識別信号Ａ（制御信号の一つ）を受け取ると電力供給回路９からの電力にその制御信号を重畳し（ステップ：Ｓ３）、その電力に制御信号を重畳したものをチャージャ側端子６，７に出力する。
【００４１】  ここで、識別信号Ａとは、チャージャ２とマイクロフォン装置３が充電を行うことについて適切に対応付いた組み合わせである否かを判別するためのものである。
充電用の電力について、互いに適切に対応付いていないチャージャ２とマイクロフォン装置３の組み合わせであれば、充電は行われることがあっても結果的に二次電池の劣化や破損の問題が生じることになる。
【００４２】  そこで、斯かる問題を回避するために、ＣＰＵ２２は上記の互いに充電に関し適切に対応付いていることを示す識別信号Ａを受け取った場合にのみ充電抵抗スイッチ回路１７をＯＮとし、ＣＰＵ２２が識別信号Ａを受け取らない限りは充電抵抗スイッチ回路１７を常にＯＦＦとするように構成されている。
ここで、制御信号出力回路１０によって重畳された上記識別信号Ａが制御信号抽出回路２１によって抽出されてＣＰＵ２２に送られると、ＣＰＵ２２が識別信号Ａを受け取って充電抵抗スイッチ回路１６をＯＮとする。
【００４３】  このことによって、二次電池１８はチャージャ２からの所定で適切な電圧と電流の電力を受けてノーマルの被充電がスタートする。
二次電池１８でノーマルの充電がスタートすると、これと同時に、上記識別信号Ａを受け取ったＣＰＵ２２は、電圧検出回路２０から得た二次電池１８の電圧に係る情報を、充電抵抗スイッチ回路１７を駆動することによって充電用の電力に重畳し（以上、ステップ：Ｓ４）、逆電圧防止回路１６、機能手段側端子１４，１５及び充電手段側端子６，７を介して、制御信号抽出回路１２に送る。
【００４４】  ここで、充電抵抗スイッチ回路１７は、二次電池１８の電圧に係る情報を重畳した後には常にＯＮとし、急速充電の受け入れを可能な状態にする。
ＣＰＵ１３は、制御信号抽出回路１２に前記電圧の情報（電池残量の情報）があるか否かの判断を行う（ステップ：Ｓ５）。
【００４５】  ここで、ＣＰＵ１３は、制御信号抽出回路１２に前記電圧の情報があると判断した場合には、制御信号抽出回路１２にある前記電圧の情報に基づいて二次電池１８の電池残量を算出して、その算出値を元に急速充電の最適な時間を算出し、斯かる最適な時間だけ急速充電を行わすための制御信号を電力供給回路９に送る。
電力供給回路９は、ＣＰＵ１３から制御信号を受け取ると上述の急速充電用の電力を上述の最適な時間だけ出力し、二次電池１８は、急速な被充電が開始される（ステップ：Ｓ７）。
【００４６】  他方、ＣＰＵ１３は、制御信号抽出回路１２に前記電圧の情報がないと判断した場合には、設定時間の経過後にノーマル充電用電力を出力するように電力供給回路９に制御信号を送る。
ＣＰＵ１３は、二次電池１８が斯かる急速な被充電の状態である際、端子電圧監視回路１１によってチャージャ側端子６，７の電圧の監視を行い、二次電池１８が満杯の被充電状態か否かを判断している（ステップ：Ｓ８）。
【００４７】  ここで、ＣＰＵ１３は、前記の監視を行っている際に、二次電池１８が満充電となって生じる電圧変動（Δｖ）を端子電圧監視回路１１が検出すると、二次電池１８への急速充電を直ちに停止させるための制御信号を電流供給回路９に送る（ステップ：Ｓ１０）。
この急速充電を直ちに停止する構成によって、二次電池１８は過充電されずに保護が図られることになる。
【００４８】  他方、ＣＰＵ１３は、前記の監視を行っている際に、端子電圧監視回路１１が電圧変動（Δｖ）を検出しない場合には、二次電池１８に急速充電を設定時間だけ行った後に、急速充電からノーマル充電に切り換えさせるための制御信号を電流供給回路９に送る（ステップ：Ｓ９）。
ここで、電力供給回路９はノーマル充電用の電力を出力する。
【００４９】  ＣＰＵ１３は、更に、設定時間が経過するとそのノーマル充電を停止させるための制御信号を電流供給回路９に送る（ステップ：Ｓ１０）。
ここで、電流供給回路９は、ＣＰＵ１３から上述の制御信号を受けて、充電用電力の出力を停止する。従って、チャージャ２からマイクロフォン装置３の側への充電用電力の出力は停止し、二次電池１８への充電は停止する。
【００５０】  充電式カラオケ用マイクロフォン装置１は、上述したように、電力供給回路９から二次電池１８への充電用電力の供給は、二次電池１８のその時点での電池残量が検出された場合には選択的に、その電池残量の値に基づいて急速充電を行うべき時間が算出され、この算出結果の時間だけ急速充電が行われる構成になっている。
斯かる構成によって、充電時間は短縮化が図られており、且つ、高電流による急速充電が必要以上に長い時間行われて過充電になって二次電池１８の寿命を縮めるなどといった劣化の問題は生じない。
【００５１】  他方、二次電池１８の電池残量が検出できない場合には、二次電池１８の劣化の回避を考慮して、例えば、１時間当たり電池容量のほぼ１／１０倍程度の電流といった比較的に少ない電流による充電、所謂ノーマル充電が行われる構成になっている。
斯かる構成によって、二次電池１８は過剰な電流の電力で充電されることはないから、二次電池１８の劣化の問題は極めて生じ難い。
【００５２】  更に、充電式カラオケ用マイクロフォン装置１は、上述したように、二次電池１８の電池残量を検出し、その検出した値に基づいて電力供給回路９を制御するために、充電用電力に制御信号を重畳する構成としていて、制御のための端子や配線等を特別に備える必要としていない。
従って、斯かる構成であることから、制御のための端子、配線等が不要な分だけ構成が簡素化して、材料が少なくて済み、製造も簡便になっていて、結果的にコストダウンを図ることが可能になっている。
【００５３】  この発明の充電式電気・電子装置は、最良の形態として上述したように充電式カラオケ用マイクロフォン装置１を挙げたが、この他に、充電式クリーナ、トランシーバ、充電式トランスミッタ、充電式レコーダ、充電式照明具等が挙げられる。
充電式電気・電子装置が、充電式カラオケ用マイクロフォン装置１以外の装置であっても、使用する二次電池の劣化を防ぐことが可能であり、且つ、構成の簡素化による部品の削除と製造の簡便性そしてコストダウンを図ることが可能である。
【００５４】  上述した充電式電気・電子装置の充電式カラオケ用マイクロフォン装置１は充電手段２と機能手段３が一体化可能な別体の構成であるが、充電手段と機能手段が別体化することなく一体化の構成であっても、別個に制御系を備えて構成する場合に比して構成全体の簡素化、製造の簡便化、重量の軽減、コストの低減などの効果を得ることが可能になっている。
充電式カラオケ用マイクロフォン装置１は、充電を開始する前に、チャージャ２の側からマイクロフォン装置３の側に識別信号Ａを送り、充電に関してそれらチャージャ２とマイクロフォン装置３が互いに適切に対応付いているか否かの判断を行い、適切に対応付いていない場合には充電スイッチ回路１７が機能して結果的に二次電池１８が充電されないように構成されていることから、マイクロフォン装置３に対するチャージャ２の不適切な選択に対しても二次電池１８の劣化や破損を回避できている。
【符号の説明】
【００５５】１  ：充電式カラオケ用マイクロフォン装置（充電式電気・電子装置）
２  ：チャージャ（充電手段）
３  ：マイクロフォン装置（機能手段）
６，７，１４，１５：端子
９  ：電力供給回路
１０：制御信号出力回路
１２，２１：制御信号抽出回路
１３，２２：ＣＰＵ
１７：充電抵抗スイッチ回路
１８：二次電池
１９：マイクロフォン
２０：電圧検出回路
【図１】
2013009574.tif 000003
【図２】
2013009574.tif 000004
【図３】
2013009574.tif 000005
【図４】
2013009574.tif 000006